(57)【要約】【課題】光ディスク再生または記録中の光ピックアップの温度上昇を抑え、さらに再生または記録が中断しないようにする。【解決手段】光ディスク記録再生装置１で光ディスク１４からハードディスク１０にリッピングする際に、光ピックアップ３の温度が動作上限温度より低い温度の閾値Ｔ１以上となった場合には、リッピングしている現在位置を記憶した後にリッピングしている地点よりも低温を維持できる光ディスク１４の外周の所定位置以降のリッピングを行い、光ピックアップ３の温度が閾値Ｔ１よりも低い温度の閾値Ｔ２以下となった場合には、前記記憶した位置に戻りリッピングを再開する。【選択図】図２
2008165886.tif 000002
【特許請求の範囲】
【請求項１】
情報が記録された光ディスクを回転駆動する駆動手段と、前記光ディスクから情報を読み出しまたは書き込みを行う光ピックアップと、前記光ピックアップが読み出した情報を再生する情報再生手段または入力された情報を前記光ディスクに記録する方式に変換する情報記録手段と、を備え、前記光ディスクから情報を連続的に読み出しまたは書き込みを行う際に、当該読み出しまたは書き込みを行う位置に応じて前記光ピックアップの温度が異なる光ディスク装置において、
前記光ピックアップの温度を測定する温度測定手段と、
前記光ピックアップが前記光ディスクから情報を読み出しまたは書き込みを行っているときに、前記温度測定手段が測定した温度が、前記光ピックアップが動作可能な上限値よりも低く予め定められた第１の閾値以上になった際には、前記上限値以下で前記読み出しまたは書き込みが可能な前記光ディスクの所定位置であって、当該所定位置以降に連続的な読み出しまたは書き込みを行う際に前記光ピックアップの温度が前記上限値以下を維持する所定位置に前記光ピックアップを移動させて前記光ディスクから情報を読み出しまたは書き込みを行わせるように制御する制御手段と、を備えたことを特徴とする光ディスク装置。
【請求項２】
前記制御手段が、前記温度測定手段が測定した温度が前記第１の閾値以上になった場合は、前記光ピックアップを連続的な読み出しまたは書き込みを行う際に前記光ピックアップの温度が前記第１の閾値よりも低い温度を維持する所定位置に移動させることを特徴とする請求項１に記載の光ディスク装置。
【請求項３】
前記第１の閾値以上になった位置を記憶する戻り位置記憶手段を備え、
前記制御手段が、前記光ピックアップを前記所定位置に移動させた後に、前記温度測定手段が測定した前記光ピックアップの温度が、予め定められた第２の閾値以下になった際には、前記光ピックアップを前記戻り位置記憶手段に記憶した位置に戻して前記光ディスクから情報を読み出しまたは書き込みを行わせることを特徴とする請求項１または２に記載の光ディスク装置。
【請求項４】
前記光ピックアップの温度が前記上限値以下を維持する所定位置または前記光ピックアップの温度が前記第１の閾値よりも低い温度を維持する所定位置が、現在の再生位置または記録位置よりも前記光ディスクの外周位置であることを特徴とする請求項１乃至３のうちいずれか一項に記載の光ディスク装置。
【請求項５】
前記駆動手段が、前記光ディスクを線速度一定制御方式で回転駆動することを特徴とする請求項４に記載の光ディスク装置。
【請求項６】
前記情報再生手段が再生する情報を記憶する記憶手段を備え、前記光ピックアップが、前記光ディスクから間欠的に情報を読み出し、前記情報再生手段が前記記憶手段に記憶することを特徴とする請求項１乃至５のうちいずれか一項に記載の光ディスク装置。
【請求項７】
前記制御手段が、前記温度測定手段が測定した前記温度が前記第１の閾値以上になった際には、前記上限値以下で前記読み出しまたは書き込みが可能な前記光ディスクの所定範囲であって、当該所定範囲以降に連続的な読み出しまたは書き込みを行う際に前記光ピックアップの温度が前記上限値以下を維持する所定範囲にある情報を任意の順序で読み取らせることを特徴とする請求項１乃至６のうちいずれか一項に記載の光ディスク装置。
【請求項８】
前記情報再生手段または前記情報記録手段に一度再生または記録された情報を識別する識別手段を備え、
前記制御手段が、前記識別手段によって一度再生または記録されたと識別された情報は、読み出しまたは書き込みを前記光ピックアップに行わせないことを特徴とする請求項１乃至７のうちいずれか一項に記載の光ディスク装置。
【請求項９】
前記光ディスクと相対向する基板を備え、
前記制御手段が、該基板に設けられた所定の電子部品付近の前記光ディスクにおける位置から前記情報再生手段または前記情報記録手段に再生または記録を行わせることを特徴とする請求項１乃至８のうちいずれか一項に記載の光ディスク装置。
【請求項１０】
情報が記録された光ディスクを回転駆動し、前記光ディスクから光ピックアップで情報を読み出しまたは書き込みを行い、前記光ピックアップが読み出した情報を再生または入力された情報を前記光ディスクに記録し、前記光ディスクから情報を連続的に読み出しまたは書き込みを行う際に、当該読み出しまたは書き込みを行う位置に応じて前記光ピックアップの温度が異なる光ディスク記録再生方法において、
前記光ピックアップの温度を測定し、前記光ピックアップが前記光ディスクから情報を読み出しまたは書き込みを行っているときに、測定した前記光ピックアップの温度が、前記光ピックアップが動作可能な上限値よりも低く予め定められた第１の閾値以上になった際には、前記上限値以下で前記読み出しまたは書き込みが可能な前記光ディスクの所定位置であって、当該所定位置以降に連続的な読み出しまたは書き込みを行う際に前記光ピックアップの温度が前記上限値以下を維持する所定位置に前記光ピックアップを移動させて前記光ディスクから情報を読み出しまたは書き込みを行うように制御することを特徴とする光ディスク記録再生方法。
【請求項１１】
情報が記録された光ディスクを回転駆動する駆動手段と、前記光ディスクから情報を読み出しまたは書き込みを行う光ピックアップと、を備え、前記光ディスクから情報を連続的に読み出しまたは書き込みを行う際に、当該読み出しまたは書き込みを行う位置に応じて前記光ピックアップの温度が異なる光ディスク装置のコンピュータを、前記光ピックアップが読み出した情報を再生する情報再生手段または入力された情報を前記光ディスクに記録する方式に変換する情報記録手段として機能させる光ディスク記録再生プログラムにおいて、
前記光ピックアップの温度を測定する温度測定手段と、
前記光ピックアップが前記光ディスクから情報を読み出しまたは書き込みを行っているときに、前記温度測定手段が測定した前記光ピックアップの温度が、前記光ピックアップが動作可能な上限値よりも低く予め定められた第１の閾値以上になった際には、前記上限値以下で前記読み出しまたは書き込みが可能な前記光ディスクの所定位置であって、当該所定位置以降に連続的な読み出しまたは書き込みを行う際に前記光ピックアップの温度が前記上限値以下を維持する所定位置に前記光ピックアップを移動させて前記光ディスクから情報を読み出しまたは書き込みを行わせるように制御する制御手段としてコンピュータに機能させることを特徴とする光ディスク記録再生プログラム。
【請求項１２】
請求項１１に記載の光ディスク記録再生プログラムを格納したことを特徴とするコンピュータ読み取り可能な記録媒体。
【発明の詳細な説明】
【技術分野】
【０００１】
本発明は、光ディスクを再生または光ディスクに記録する光ディスク装置、光ディスク記録再生方法、光ディスク記録再生プログラムおよび光ディスク記録再生プログラムを格納した記録媒体に関する。
【背景技術】
【０００２】
光ディスクに記録された情報を再生したり光ディスクに情報を記録したりする記録再生装置は、スピンドルモータなどで回転駆動された光ディスクから、レーザダイオードや対物レンズなどを備えた光ピックアップをキャリッジモータなどで光ディスクの径方向に移動させて情報を読み取ったり書き込んだりしている。
【０００３】
光ディスクをＣＬＶ（線速度一定）制御方式で回転駆動した場合は、一般的に該光ディスクの内周の方がスピンドルモータやキャリッジモータなどの発熱源が近いことやスピンドルモータの回転数を高くするために発熱が多くなることなどにより外周よりも光ピックアップの温度が高くなり易い。
【０００４】
従来、光ピックアップの温度が高くなるとレーザダイオードの発光特性などが劣化するために所定の温度になるとレーザダイオードを消灯して再生や記録を停止することが行われていた。例えば特許文献１には、光ピックアップの温度が高温側閾値に達すると再生または記録を停止し、光ピックアップを光ディスクの最外周に移動させて、光ピックアップが低温側閾値に達すると再生または記録を再開する光ピックアップの冷却方法が記載されている。
【特許文献１】特開２００６−１０７６３６号公報
【発明の開示】
【発明が解決しようとする課題】
【０００５】
しかしながら、特許文献１に記載の光ディスク装置では、光ピックアップの温度が高温側閾値に達すると再生または記録を停止してしまうので、光ピックアップの温度が低温閾値に達するまでは再生または記録を行うことができなかった。
【０００６】
また、近年では、光ディスクを再生速度よりも高速回転させ光ディスクに記録された情報を読み出し圧縮などを行って高速にハードディスクなどに記録するリッピングと呼ばれる動作を行うことも多くなっており、リッピング動作中は光ディスクを高速回転させるために光ピックアップの温度が上昇し易くなる。特許文献１の方法ではリッピング動作時に光ディスクからの情報の読み取りが中断するためにリッピング動作に時間がかかってしまうという問題があった。
【０００７】
そこで、本発明は、例えば光ディスク再生または記録中の光ピックアップの温度上昇が抑えられ、さらに再生または記録が中断しない光ディスク装置、光ディスク記録再生方法、光ディスク記録再生プログラムおよび光ディスク記録再生プログラムを格納した記録媒体を提供することを課題とする。
【課題を解決するための手段】
【０００８】
上記課題を解決するために、請求項１に記載の光ディスク装置は、情報が記録された光ディスクを回転駆動する駆動手段と、前記光ディスクから情報を読み出しまたは書き込みを行う光ピックアップと、前記光ピックアップが読み出した情報を再生する情報再生手段または入力された情報を前記光ディスクに記録する方式に変換する情報記録手段と、を備え、前記光ディスクから情報を連続的に読み出しまたは書き込みを行う際に、当該読み出しまたは書き込みを行う位置に応じて前記光ピックアップの温度が異なる光ディスク装置において、前記光ピックアップの温度を測定する温度測定手段と、前記光ピックアップが前記光ディスクから情報を読み出しまたは書き込みを行っているときに、前記温度測定手段が測定した温度が、前記光ピックアップが動作可能な上限値よりも低く予め定められた第１の閾値以上になった際には、前記上限値以下で前記読み出しまたは書き込みが可能な前記光ディスクの所定位置であって、当該所定位置以降に連続的な読み出しまたは書き込みを行う際に前記光ピックアップの温度が前記上限値以下を維持する所定位置に前記光ピックアップを移動させて前記光ディスクから情報を読み出しまたは書き込みを行わせるように制御する制御手段と、を特徴としている。
【０００９】
請求項１０に記載の光ディスク記録再生方法は、情報が記録された光ディスクを回転駆動し、前記光ディスクから光ピックアップで情報を読み出しまたは書き込みを行い、前記光ピックアップが読み出した情報を再生または入力された情報を前記光ディスクに記録し、前記光ディスクから情報を連続的に読み出しまたは書き込みを行う際に、当該読み出しまたは書き込みを行う位置に応じて前記光ピックアップの温度が異なる光ディスク記録再生方法において、前記光ピックアップの温度を測定し、前記光ピックアップが前記光ディスクから情報を読み出しまたは書き込みを行っているときに、測定した前記光ピックアップの温度が、前記光ピックアップが動作可能な上限値よりも低く予め定められた第１の閾値以上になった際には、前記上限値以下で前記読み出しまたは書き込みが可能な前記光ディスクの所定位置であって、当該所定位置以降に連続的な読み出しまたは書き込みを行う際に前記光ピックアップの温度が前記上限値以下を維持する所定位置に前記光ピックアップを移動させて前記光ディスクから情報を読み出しまたは書き込みを行うように制御することを特徴としている。
【００１０】
請求項１１に記載の光ディスク記録再生プログラムは、情報が記録された光ディスクを回転駆動する駆動手段と、前記光ディスクから情報を読み出しまたは書き込みを行う光ピックアップと、を備え、前記光ディスクから情報を連続的に読み出しまたは書き込みを行う際に、当該読み出しまたは書き込みを行う位置に応じて前記光ピックアップの温度が異なる光ディスク装置のコンピュータを、前記光ピックアップが読み出した情報を再生する情報再生手段または入力された情報を前記光ディスクに記録する方式に変換する情報記録手段として機能させる光ディスク記録再生プログラムにおいて、前記光ピックアップの温度を測定する温度測定手段と、前記光ピックアップが前記光ディスクから情報を読み出しまたは書き込みを行っているときに、前記温度測定手段が測定した前記光ピックアップの温度が、前記光ピックアップが動作可能な上限値よりも低く予め定められた第１の閾値以上になった際には、前記上限値以下で前記読み出しまたは書き込みが可能な前記光ディスクの所定位置であって、当該所定位置以降に連続的な読み出しまたは書き込みを行う際に前記光ピックアップの温度が前記上限値以下を維持する所定位置に前記光ピックアップを移動させて前記光ディスクから情報を読み出しまたは書き込みを行わせるように制御する制御手段としてコンピュータに機能させることを特徴としている。
【発明を実施するための最良の形態】
【００１１】
以下、本発明の一実施形態にかかる光ディスク装置を説明する。本発明の一実施形態にかかる光ディスク装置は、制御手段が、温度測定手段が測定した光ピックアップの温度が予め定められた第１の閾値以上になった際には、光ピックアップを連続的な読み出しまたは書き込みを行う際に光ピックアップの温度が上限値以下を維持する所定位置に移動させて情報を読み出しまたは書き込みを行わせている。このようにすることにより、温度検出手段で検出した光ピックアップの温度が第１の閾値以上であった場合は、光ピックアップが動作できる上限値以下を維持する所定位置に光ピックアップを移動させるので再生や記録を中断する必要がない。
【００１２】
また、制御手段が、温度測定手段が測定した温度が第１の閾値以上になった場合は、光ピックアップを連続的な読み出しまたは書き込みを行う際に光ピックアップの温度が第１の閾値よりも低い温度を維持する所定位置に移動させてもよい。このようにすることにより、温度検出手段で検出した光ピックアップの温度が第１の閾値以上であった場合は、第１の閾値よりも低い温度の所定位置に光ピックアップを移動させるので再生や記録を中断する必要がない。また、第１の閾値を光ピックアップのレーザダイオードを消灯する温度よりも低く設定しておくことで、光ピックアップの上限温度まで上昇することを抑えられる。
【００１３】
また、第１の閾値以上になった位置を記憶する戻り位置記憶手段を備え、制御手段が、光ピックアップを所定位置に移動させた後に、温度測定手段が測定した光ピックアップの温度が、予め定められた第２の閾値以下になった際には、光ピックアップを戻り位置記憶手段に記憶した位置に戻して光ディスクから情報を読み出しまたは書き込みを行わせてもよい。このようにすることにより、光ピックアップの温度が下がった際には、元の位置の読み取りや書き込みを行うことができる。
【００１４】
また、光ピックアップの温度が上限値以下を維持する所定位置または光ピックアップの温度が第１の閾値よりも低い温度を維持する所定位置が、現在の再生位置または記録位置よりも光ディスクの外周位置でもよい。このようにすることにより、光ディスクの内周において光ピックアップの温度が高くなり易い場合に光ピックアップを外周に移動して再生や記録を継続することができる。
【００１５】
また、駆動手段が、光ディスクを線速度一定制御方式で回転駆動してもよい。このようにすることにより、一般的に光ディスクの内周で光ピックアップの温度が高くなる線速度一定（ＣＬＶ）制御方式において、光ピックアップの温度上昇が抑えられ、さらに再生または記録が中断しないようにできる。
【００１６】
また、情報再生手段が再生する情報を記憶する記憶手段を備え、光ピックアップが、光ディスクから間欠的に情報を読み出し、情報再生手段が記憶手段に記憶するようにしてもよい。このようにすることにより、光ディスクを高速に回転させて記憶手段に情報を記憶させるリッピング動作に本発明を適用することが可能となる。
【００１７】
また、制御手段が、温度測定手段が測定した温度が第１の閾値以上になった際には、上限値以下で読み出しまたは書き込みが可能な光ディスクの所定範囲であって、当該所定範囲以降に連続的な読み出しまたは書き込みを行う際に光ピックアップの温度が上限値以下を維持する所定範囲にある情報を任意の順序で読み取らせてもよい。このようにすることにより、リッピング以外の等倍速での再生においても再生を中断することがなくなる。
【００１８】
また、情報再生手段または情報記録手段に一度再生または記録された情報を識別する識別手段を備え、制御手段が、識別手段によって一度再生または記録されたと識別された情報は、読み出しまたは書き込みを前記光ピックアップに行わせないようにしてもよい。このようにすることにより、光ピックアップの温度が第２の閾値以下となって前に再生または記録していた位置に戻ってきて再生または記録を再開した際に、第１の閾値以上となって移動して再生または記録された情報を重複して再生または記録することが無くなる。
【００１９】
また、光ディスクと相対向する基板を備え、制御手段が、該基板に設けられた所定の電子部品付近の光ディスクにおける位置から情報再生手段または情報記録手段に再生または記録を行わせてもよい。このようにすることにより、基板上の発熱量が多い電子部品から再生または記録を行う光ピックアップの温度が第１の閾値以上となった場合はその電子部品付近の位置以外の情報を再生することができる。
【００２０】
また、本発明の一実施形態にかかる光ディスク記録再生方法は、温度測定手段が測定した光ピックアップの温度が予め定められた第１の閾値以上になった際には、連続的な読み出しまたは書き込みを行う際に光ピックアップの温度が上限値以下を維持する所定位置に移動させて情報を読み出しまたは書き込みを行うように制御する。このようにすることにより、検出した光ピックアップの温度が第１の閾値以上であった場合は、光ピックアップが動作できる上限値以下を維持する所定位置に光ピックアップを移動させるので再生や記録を中断する必要がない。
【００２１】
また、本発明の一実施形態にかかる光ディスク記録再生プログラムは、制御手段が、温度測定手段が測定した光ピックアップの温度が予め定められた第１の閾値以上になった際には、連続的な読み出しまたは書き込みを行う際に光ピックアップの温度が上限値以下を維持する所定位置に移動させて情報を読み出しまたは書き込みを行わせている。このようにすることにより、温度検出手段で検出した光ピックアップの温度が第１の閾値以上であった場合は、光ピックアップが動作できる上限値以下を維持する所定位置に光ピックアップを移動させるので再生や記録を中断する必要がない。
【００２２】
また、請求項１１に記載の光ディスク記録再生プログラムを記録媒体に格納してもよい。このようにすることにより、光ディスク記録再生プログラムを機器に組み込む以外に単体でも流通させることができる。
【実施例１】
【００２３】
本発明の第１の実施例にかかる光ディスク装置としての光ディスク記録再生装置１を図１乃至図５を参照して説明する。光ディスク記録再生装置１は、ＤＶＤ（Digital Versatile Disc）、ＣＤ（Compact Disc）、ＢＤ（Blu-ray Disc）等の光ディスクが記録再生可能かつ再生している光ディスクからハードディスクへのリッピングも可能な装置であり、図１に示すようにディスクモータ２と、光ピックアップ３と、光ピックアップ温度検出部４と、ＲＦアンプ５と、サーボ信号処理部６と、ドライバ７と、音声／映像信号処理部８と、メモリ９と、ハードディスク１０と、ＤＡ／ＡＤコンバータ１１と、マイクロコンピュータ１２と、音声信号／映像信号出力端子１３とを備えている。
【００２４】
駆動手段としてのディスクモータ２は、光ディスク記録再生装置１にセットされた光ディスク１４を回転させるためのモータであり、スピンドルモータなどで構成されている。
【００２５】
光ピックアップ３は、光ディスク１４に照射するレーザ光を発生させる図示しないレーザダイオードや、光ディスク１４上にレーザダイオードからのレーザ光を照射するための対物レンズ、サーボ信号処理部６からの信号によりフォーカス方向やトラッキング方向に対物レンズを駆動するためのアクチュエータおよび光ディスク１４から反射された反射光を受ける受光器などを備え、受光器の出力から光ディスク１４に記録されている映像や音楽などを含むＲＦ信号やフォーカスエラー信号およびトラッキングエラー信号などを生成し出力するＲＦアンプ５へ出力するとともに光ディスク１４へ情報を書き込む。また、光ピックアップ３には、動作可能な温度の上限値が予め定められており、光ディスク１４からの情報の読み出しや書き込みは、その上限値以下で行われる。
【００２６】
温度測定手段としての光ピックアップ温度検出部４は、光ディスク１４から情報を連続的に読み出しまたは書き込みを行う際に、その位置に応じて異なる光ピックアップ３の温度を測定するためのセンサ等を備え、測定された温度データをマイクロコンピュータ１２へ出力する。
【００２７】
ＲＦアンプ５は、光ピックアップ３から入力される信号を所定の値に増幅し、サーボ信号処理部６へ出力する。
【００２８】
サーボ信号処理部６は、ＲＦアンプ５から入力されるフォーカスエラー信号やトラッキングエラー信号などの制御信号を基に光ピックアップ３のアクチュエータを駆動させてフォーカスおよびトラッキングの制御などを行い光ディスク１４に記録された情報を正確に読めるようにする。さらに、光ディスク１４に記録された映像や音楽などを含むＲＦ信号をアナログ／デジタル変換して音声／映像信号処理部８へ出力する。
【００２９】
ドライバ７は、サーボ信号処理部６から入力された信号を増幅し、ディスクモータ２および光ピックアップ３へ出力する。
【００３０】
情報再生手段、情報記録手段としての音声／映像信号処理部８は、サーボ信号処理部６から入力された信号にエラー訂正などを行った後復調や復号を行いハードディスク１０へ出力する。ハードディスク１０を使用しない場合は、復号したデータを一旦メモリ９へ格納する。そしてマイクロコンピュータ１２からの要求に従ってメモリ９から読み出してＤＡ／ＡＤコンバータ１１へ出力する。また、情報を書き込むときは、ＤＡ／ＡＤコンバータ９から入力された音声や映像を符号化および変調してサーボ信号処理部６へ出力する。
【００３１】
メモリ９は、音声／映像信号処理部８で再生された音声などのデータを振動などでデータが途切れないように一時的に格納し、または音声入出力端子１３ａおよび映像入出力端子１３ｂから入力された音声や映像を符号化および変調するためのデータを一時的に格納するためのメモリであり、半導体メモリで構成される。
【００３２】
記憶手段としてのハードディスク１０は、音声／映像信号処理部８で復号したデータを音声であればＭＰ３（MPEG Audio Layer-3）やＡＡＣ（Advanced Audio Coding）などの符号化方式で圧縮符号化し記録する。再生時には、マイクロコンピュータ１２の指示に従ってデータを読み出して復号しＤＡ／ＡＤコンバータ１１に出力する。なお、圧縮符号化は行わずに音声／映像信号処理部８で復号したデータをそのまま記録してもよい。
【００３３】
ＤＡ／ＡＤコンバータ１１は、メモリ９に格納されたデータやハードディスクから読み出されたデータが入力され、そのデジタル信号であるデータをアナログ信号に変換し音声入出力端子１３ａおよび映像入出力端子１３ｂから出力する。また、入力された映像や音声をデジタル信号に変換して音声／映像信号処理部８に出力する。
【００３４】
制御手段、位置記憶手段、識別手段としてのマイクロコンピュータ１２は、ＣＰＵ（Central Processing Unit）と、ＲＡＭ（Random Access Memory）と、ＲＯＭ（Read Only Memory）とを内蔵し、光ディスク１４の挿入や排出、再生や停止などの各操作における光ディスク記録再生装置１全体の制御および光ピックアップ温度検出部４からの温度データに基づいて再生や記録の制御を行う。
【００３５】
次に、図１に示すような構成からなる光ディスク記録再生装置１において、光ディスク１４から情報を読み取る際の動作を図２に示すフローチャートを参照して説明する。図２に示したフローチャートは、マイクロコンピュータ１２のＲＯＭに記憶されている制御プログラムをマイクロコンピュータ１２のＣＰＵが実行することで実現される。
【００３６】
なお、図２に示したフローチャートは、ＣＬＶ方式の光ディスク１４を高速回転させてハードディスク１０に記録するリッピング動作を行う際の読み取り方法のフローチャートである。この際に読み取った情報の再生は、ハードディスク１０に記録された情報を読み出して出力されることで行われている。本実施例では光ディスク１４としてＣＤの場合を説明する。ＣＤは図３に示すように内周からリードインエリア、プログラムエリア、リードアウトエリアの順に形成された構造となっている。リードインエリアはＴＯＣ（Table Of Contents）などが記録される領域であり、プログラムエリアは情報としての音楽などのトラックが記録されている領域であり、リッピングでハードディスクに記録されるのはこの領域が対象となる。リードアウトエリアはプログラムエリアの終端を示す領域である。
【００３７】
まず、ステップＳ１０１において、光ディスク１４の内周に記録されている情報からリッピングを開始してステップＳ１０２に進む。光ピックアップ３が光ディスク１４の内周に移動して情報を読み出し、ＲＦアンプ５、サーボ信号処理部６、音声／映像信号処理部８を経由してハードディスク１０へ送られ圧縮符号化後記録される。なお、リッピングが終了した位置（アドレス）はＣＰＵ内においてリッピング済みであると識別しそのアドレス範囲をＲＡＭなどに記憶する。
【００３８】
次に、ステップＳ１０２において、光ディスク１４のプログラムエリアの全範囲をリッピング終了したか否かを判断し、終了した場合（Ｙｅｓの場合）は本フローを終了し、終了していない場合（Ｎｏの場合）はステップＳ１０３に進む。
【００３９】
次に、ステップＳ１０３において、現在リッピングを行っている光ディスク上の位置（アドレス）がすでにリッピング済みであるか否かを判断し、リッピング済みである場合（ＹＥＳの場合）はステップＳ１０４に進み、リッピング済みでない場合（ＮＯの場合）はステップＳ１０５に進む。
【００４０】
次に、ステップＳ１０４において、リッピング済みの位置を飛ばしてリッピングを継続してステップＳ１０５に進む。つまり、リッピング済みの情報よりも外周に位置するリッピングしていない情報が記録されている位置（アドレス）まで飛ばして（サーチして）、リッピングしていない情報が記録されている位置からリッピングを継続する。
【００４１】
次に、ステップＳ１０５において、光ピックアップ温度検出部４が測定した温度データ（Ｐ．Ｕ．温度）が第１の閾値としての閾値Ｔ１以上か否かを判断し、Ｔ１以上である場合（Ｙｅｓの場合）はステップＳ１０６に進み、そうでない場合（Ｎｏの場合）はステップＳ１０２に戻る。この閾値Ｔ１は光ピックアップ３が動作可能な上限値よりも低い温度に設定されている。
【００４２】
次に、ステップＳ１０６において、現在の光ディスク１４のリッピング位置（アドレス）Ａを例えばマイクロコンピュータ１２のＲＡＭに記憶しステップＳ１０７に進む。すなわち、第１の閾値以上になった位置を記憶している。
【００４３】
次に、ステップＳ１０７において、位置Ａよりも外周に位置し、かつリッピングされていない情報が記録されている位置Ｂまで光ピックアップ３を移動するようにサーボ信号処理部６に指示し、位置Ｂからリッピングを開始してステップＳ１０８に進む。位置Ｂは、以降のリッピング動作において閾値Ｔ１以下を維持することができる位置である。すなわち、光ピックアップ３の温度が、予め定められた第１の閾値以上になった際には、光ピックアップ３を連続的な読み出しまたは書き込みを行う際に光ピックアップ３の温度が上限値よりも低い温度である第１の閾値よりも低い温度を維持する所定位置に移動させている。さらに、その所定位置が現在の再生位置または記録位置よりも前記光ディスクの外周位置としている。
【００４４】
次に、ステップＳ１０８において、光ディスク１４の最外周までリッピングが終了したか否かを判断して終了した場合（Ｙｅｓの場合）はステップＳ１１２に進み、そうでない場合（Ｎｏの場合）はステップＳ１０９に進む。
【００４５】
次に、ステップＳ１０９において、現在リッピングを行っている光ディスク上の位置（アドレス）がすでにリッピング済みであるか否かを判断し、リッピング済みである場合（ＹＥＳの場合）はステップＳ１１０に進み、リッピング済みでない場合（ＮＯの場合）はステップＳ１１１に進む。
【００４６】
次に、ステップＳ１１０において、リッピング済みの位置を飛ばしてリッピングを継続してステップＳ１１１に進む。つまり、リッピング済みの情報よりも外周に位置するリッピングしていない情報が記録されている位置（アドレス）まで飛ばして（サーチして）、リッピングしていない情報が記録されている位置からリッピングを継続する。
【００４７】
次に、ステップＳ１１１において、光ピックアップ温度検出部４が測定した温度データが第２の閾値としての閾値Ｔ２以下か否かを判断し、Ｔ２以下である場合（Ｙｅｓの場合）はステップＳ１１２に進み、そうでない場合（Ｎｏの場合）はステップＳ１０８に戻る。この閾値Ｔ２は第１の閾値Ｔ１以下の温度に設定されている。
【００４８】
次に、ステップＳ１１２において、ステップＳ１０６においてＲＡＭに記憶したリッピング位置Ａ（アドレス）に光ピックアップ３を戻すようにサーボ信号処理部６に指示し、位置Ａからリッピングを再開する。すなわち、光ピックアップ３の温度が、予め定められた第２の閾値以下になった際には、光ピックアップ３を戻り位置記憶手段に記憶した位置に戻して光ディスク１４から情報を読み出しまたは書き込みを行っている。
【００４９】
ここで、図２に示したフローチャートの具体的動作を図４を参照して説明する。
【００５０】
図４は（ａ）に示したようにＣＤの構造を図３とは別形式で示した図であり、左側が内周で右側が外周に相当する。
【００５１】
まず、図４（ｂ）に示すようにプログラムエリアの先頭（内周側）からリッピングを開始する（ステップＳ１０１）。そして、図４（ｃ）に示すようにプログラムエリアの位置Ａ（アドレス）で光ピックアップ３の温度が閾値Ｔ１以上を検出すると（ステップＳ１０５）、位置Ａを記憶した後図４（ｄ）に示すようにＡよりも外周のまだリッピングしていない位置Ｂ（アドレス）にサーチして位置Ｂからリッピングを行う（ステップＳ１０６、Ｓ１０７）。
【００５２】
そして、図４（ｅ）に示すように位置Ｃにおいて光ピックアップ３の温度が閾値Ｔ２以下を検出すると（ステップＳ１１１）、図４（ｆ）に示すように記憶した位置Ａまで戻りリッピングを再開する（ステップＳ１１２）。
【００５３】
そして、図４（ｇ）に示しように位置Ｂまでリッピングが到達すると位置Ｂ〜Ｃ間はリッピングがすでに終了しているので、位置Ｃまでサーチして図４（ｈ）に示すように位置Ｃ以降をリッピングする（Ｓ１０３、Ｓ１０４、Ｓ１０９、Ｓ１１０）。すなわち、一度再生または記録されたと識別された情報は、読み出しまたは書き込みを光ピックアップ３に行わせない。
【００５４】
次に、本実施例の動作を光ピックアップ３の温度変化を中心に説明する。図５は光ピックアップ３の光ディスク１４の中心からの距離（径方向の位置、すなわち図の左側が内周で右側が外周）と温度の関係の一例を示した図である。図中の曲線は、光ピックアップ３がリッピングや再生のために内周から順次外周に移動した際の温度変化を表す。この例では光ピックアップ３が動作可能な上限値を超えるところがあるために、そのまま順次リッピングを行うことができない。そこで、温度が閾値Ｔ１以上となったＡ点から閾値Ｔ１以下の温度を維持するＢ点よりも外周の所定位置に移動させてリッピングを継続する。そして、第２の閾値Ｔ２以下となるＣ点までリッピングを行ったときにＡ点まで戻ってＡ点からの続きの情報のリッピングを行う。なお、Ａ点から移動する所定位置は光ピックアップ３が動作可能な上限値と曲線の交点Ｄよりも外周でもよい。この場合、交点Ｄの直後の位置では閾値Ｔ１以上の温度となるが、その後、順次外周へ読み出しを行うにしたがって温度が下降するので、光ピックアップ３が動作可能な上限値を超えることはない。よって、リッピングを中断することなく継続することができる。
【００５５】
本実施例によれば、光ディスク記録再生装置１で光ディスク１４からハードディスク１０にリッピングする際に、光ピックアップ３の温度が閾値Ｔ１以上となった場合には、リッピングしている位置を記憶した後にリッピングしている地点よりも光ディスク１４の外周の所定位置以降のリッピングを行い、光ピックアップ３の温度が閾値Ｔ２以下となった場合には、前記記憶した位置に戻りリッピングを再開する。このように動作しているために、光ディスク１４の内周で光ピックアップ３の温度が上昇しても、光ピックアップ３の温度が低下するまで外周のリッピングを行うので、光ピックアップ３の温度上昇を抑えつつ、再生が中断しない。
【実施例２】
【００５６】
次に、本発明の第２の実施例にかかる光ディスク記録再生装置１を図５を参照して説明する。なお、前述した第１の実施例と同一部分には、同一符号を付して説明を省略する。
【００５７】
本実施例においては、ブロック構成は第１の実施例と同様であるが、リッピングではなく通常の再生に本発明を適用している点が第１の実施例と異なる。すなわち、光ディスク１４から読み出した情報がハードディスク１０に記録されずにそのままＤＡ／ＡＤコンバータ１１を経由して出力される。本実施例における光ディスク１４から情報を読み取る際の動作を図５に示すフローチャートを参照して説明する。図５に示したフローチャートは、マイクロコンピュータ１２のＲＯＭに記憶されている制御プログラムをマイクロコンピュータ１２のＣＰＵが実行することで実現される。
【００５８】
まず、ステップＳ２０１において、光ディスク１４の内周に記録されている情報（トラック）から再生を開始してステップＳ２０２に進む。光ピックアップ３が光ディスク１４の内周に移動して情報を読み出し、ＲＦアンプ５、サーボ信号処理部６、音声／映像信号処理部８、メモリ９、ＤＡ／ＡＤコンバータ１１を経由して出力される。なお、再生が終了したトラックはＣＰＵ内において再生済みであると識別しトラック番号をマイクロコンピュータ１２のＲＡＭなどに記憶する。
【００５９】
次に、ステップＳ２０２において、光ディスク１４のプログラムエリアに記録された全トラックを再生終了したか否かを判断し、終了した場合（Ｙｅｓの場合）は本フローを終了し、終了していない場合（Ｎｏの場合）はステップＳ２０３に進む。
【００６０】
次に、ステップＳ２０３において、現在再生を行うトラックがすでに再生済みであるか否かを判断し、再生済みである場合（ＹＥＳの場合）はステップＳ２０４に進み、再生済みでない場合（ＮＯの場合）はステップＳ２０５に進む。
【００６１】
次に、ステップＳ２０４において、再生済みのトラックを飛ばして再生を継続してステップＳ１０５に進む。つまり、再生済みのトラックよりも外周に位置する再生していないトラックまで飛ばして（サーチして）、再生していないトラックから再生を継続する。
【００６２】
次に、ステップＳ２０５において、光ピックアップ温度検出部４が測定した温度データ（Ｐ．Ｕ．温度）が第１の閾値としての閾値Ｔ１以上か否かを判断し、Ｔ１以上である場合（Ｙｅｓの場合）はステップＳ２０６に進み、そうでない場合（Ｎｏの場合）はステップＳ２０２に戻る。この閾値Ｔ１は光ピックアップ３が動作可能な上限温度よりも低い温度に設定されている。
【００６３】
次に、ステップＳ２０６において、現在再生しているの光ディスク１４のトラック番号を例えばマイクロコンピュータ１２のＲＡＭに記憶しステップＳ２０７に進む。すなわち、第１の閾値以上になった位置を記憶している。
【００６４】
次に、ステップＳ２０７において、ステップＳ２０６で番号を記憶したトラックの再生終了後、該トラックよりも外周の位置し、かつ再生されていないトラックまで光ピックアップ３を移動するようにサーボ信号処理部６に指示し、そのトラック以降を任意の順序で再生を開始してステップＳ２０８に進む。任意の順序で再生とは、トラック番号順または番号順でない所定の順序での再生を意味する。再生されていないトラックは、以降の再生動作において光ピックアップ３の動作上限値または閾値Ｔ１以下を維持することができる位置である。すなわち、温度測定手段が測定した温度が第１の閾値以上になった際には、光ピックアップ３の動作温度の上限値以下で読み出しまたは書き込みが可能な光ディスク１４の所定範囲であって、当該所定範囲以降に連続的な読み出しまたは書き込みを行う際に光ピックアップ３の温度が上限値以下を維持する所定範囲にある情報を任意の順序で読み取らせている。
【００６５】
次に、ステップＳ２０８において、光ディスク１４のステップＳ２０７で再生を開始したトラック以降から最終トラック（最外周）まで全て再生終了したか否かを判断して終了した場合（Ｙｅｓの場合）はステップＳ２１２に進み、そうでない場合（Ｎｏの場合）はステップＳ２０９に進む。
【００６６】
次に、ステップＳ２０９において、現在再生を行うトラックがすでに再生済みであるか否かを判断し、再生済みである場合（ＹＥＳの場合）はステップＳ２１０に進み、再生済みでない場合（ＮＯの場合）はステップＳ２１１に進む。
【００６７】
次に、ステップＳ２１０において、再生済みのトラックを飛ばして再生を継続してステップＳ２１１に進む。つまり、再生済みのトラックよりも外周に位置する再生していないトラックまで飛ばして（サーチして）、再生していないトラックから再生を継続する。
【００６８】
次に、ステップＳ２１１において、光ピックアップ温度検出部４が測定した温度データが第２の閾値としての閾値Ｔ２以下か否かを判断し、Ｔ２以下である場合（Ｙｅｓの場合）はステップＳ２１２に進み、そうでない場合（Ｎｏの場合）はステップＳ２０８に戻る。この閾値Ｔ２は第１の閾値Ｔ１以下の温度に設定されている。
【００６９】
次に、ステップＳ２１２において、ステップＳ２０６においてＲＡＭに記憶したトラック番号の次のトラックの先頭に光ピックアップ３を移動するようにサーボ信号処理部６に指示し、そのトラックから再生を再開する。すなわち、光ピックアップ３の温度が、予め定められた第２の閾値以下になった際には、光ピックアップ３を戻り位置記憶手段に記憶した位置に戻して光ディスクから情報を読み出しまたは書き込みを行っている。
【００７０】
本実施例によれば、光ディスク記録再生装置１で光ディスク１４を再生する際に、光ピックアップ３の温度が閾値Ｔ１以上となった場合には、再生しているトラックを記憶した後に該トラックの再生終了後、該トラックよりも光ディスク１４の外周の所定位置以降のトラックの再生を行い、光ピックアップ３の温度が閾値Ｔ２以下となった場合には、前記記憶したトラックの次のトラックから再生を再開する。このように動作しているために、光ディスク１４の内周で光ピックアップ３の温度が上昇しても、光ピックアップ３の温度が低下するまで外周の再生を行うので、光ピックアップ３の温度上昇を抑えつつ、再生が中断しない。
【００７１】
なお、上述した実施例では光ディスク１４からの情報の読み取り（リッピング、再生）について述べたが、光ディスク１４への記録の際も同様に内周から記録して温度が第１の閾値以上となったら外周を記録し、第２の閾値以下となったらまた内周に戻って記録するようにしてもよい。
【００７２】
また、光ディスク１４の内周に限らず、外周や中周付近の光ディスク１４と相対向する基板上に発熱量が多い電子部品が配置されていた場合は、該電子部品付近からから再生や記録を行い、第１の閾値以上となったら内周など該電子部品付近以外の位置に光ピックアップ３を移動して再生や記録を行ってもよい。要するに、光ピックアップ３を温度の高い位置から光ディスク上の温度の低い位置に移動して再生や記録を行えばよい。
【００７３】
また、上述した実施例では閾値Ｔ２による判定を行って位置Ａへ戻していたが、判定を行わずに外周の最後までリッピングや再生が終了したら位置Ａに戻るようにしてもよい。
【００７４】
前述した実施例によれば、以下の光ディスク記録再生装置と光ディスク再生方法および光ディスク再生プログラムが得られる。
【００７５】
（付記１）情報が記録された光ディスク１４を回転駆動するディスクモータ２と、光ディスク１４から情報を読み出しまたは書き込みを行う光ピックアップ３と、光ピックアップ３が読み出した情報を再生する音声／映像信号処理部８または入力された情報を光ディスク１４に記録する方式に変換する音声／映像信号処理部８と、を備え、光ディスク１４から情報を連続的に読み出しまたは書き込みを行う際に、当該読み出しまたは書き込みを行う位置に応じて光ピックアップ３の温度が異なる光ディスク記録再生装置１において、
光ピックアップ３の温度を測定する光ピックアップ温度検出部４と、
光ピックアップ３が光ディスク１４から情報を読み出しまたは書き込みを行っているときに、光ピックアップ温度検出部４が測定した温度が、光ピックアップ３が動作可能な上限値よりも低く予め定められた閾値Ｔ１以上になった際には、上限値以下で読み出しまたは書き込みが可能な光ディスク１４の所定位置であって、当該所定位置以降に連続的な読み出しまたは書き込みを行う際に光ピックアップ３の温度が上限値以下を維持する所定位置に光ピックアップ３を移動させて光ディスク１４から情報を読み出しまたは書き込みを行わせるように制御するマイクロコンピュータ１２と、を備えたことを特徴とする光ディスク記録再生装置１。
【００７６】
この光ディスク記録再生装置１によれば、光ピックアップ温度検出部４で検出した光ピックアップ３の温度が閾値Ｔ１以上であった場合は、光ピックアップ３が動作できる上限値以下を維持する所定位置に光ピックアップ３を移動させるので再生や記録を中断する必要がない。
【００７７】
（付記２）情報が記録された光ディスク１４を回転駆動し、光ディスク１４から光ピックアップ３で情報を読み出しまたは書き込みを行い、光ピックアップ３が読み出した情報を再生または入力された情報を光ディスク１４に記録し、光ディスク１４から情報を連続的に読み出しまたは書き込みを行う際に、当該読み出しまたは書き込みを行う位置に応じて光ピックアップ３の温度が異なる光ディスク記録再生方法において、
光ピックアップ３の温度を測定し、光ピックアップ３が光ディスク１４から情報を読み出しまたは書き込みを行っているときに、測定した光ピックアップ３の温度が、光ピックアップ３が動作可能な上限値よりも低く予め定められた閾値Ｔ１以上になった際には、上限値以下で読み出しまたは書き込みが可能な光ディスク１４の所定位置であって、当該所定位置以降に連続的な読み出しまたは書き込みを行う際に光ピックアップ３の温度が前記上限値以下を維持する所定位置に光ピックアップ３を移動させて光ディスク１４から情報を読み出しまたは書き込みを行うように制御することを特徴とする光ディスク記録再生方法。
【００７８】
この光ディスク記録再生方法によれば、検出した光ピックアップ３の温度が閾値Ｔ１以上であった場合は、光ピックアップ３が動作できる上限値以下を維持する所定位置に光ピックアップ３を移動させるので再生や記録を中断する必要がない。
【００７９】
（付記３）情報が記録された光ディスク１４を回転駆動するディスクモータ２と、光ディスク１４から情報を読み出しまたは書き込みを行う光ピックアップ３と、を備え、光ディスク１４から情報を連続的に読み出しまたは書き込みを行う際に、当該読み出しまたは書き込みを行う位置に応じて光ピックアップ３の温度が異なる光ディスク記録再生装置１のコンピュータを、光ピックアップ３が読み出した情報を再生する音声／映像信号処理部８または入力された情報を前記光ディスク１４に記録する方式に変換する音声／映像信号処理部８として機能させる光ディスク記録再生プログラムにおいて、
光ピックアップ３の温度を測定する光ピックアップ温度検出部４と、
光ピックアップ３が光ディスク１４から情報を読み出しまたは書き込みを行っているときに、光ピックアップ温度検出部４が測定した光ピックアップ３の温度が、光ピックアップ３が動作可能な上限値よりも低く予め定められた閾値Ｔ１以上になった際には、上限値以下で読み出しまたは書き込みが可能な光ディスク１４の所定位置であって、当該所定位置以降に連続的な読み出しまたは書き込みを行う際に光ピックアップ３の温度が前記上限値以下を維持する所定位置に光ピックアップ３を移動させて光ディスク１４から情報を読み出しまたは書き込みを行わせるように制御するマイクロコンピュータ１２としてコンピュータに機能させることを特徴とする光ディスク記録再生プログラム。
【００８０】
この光ディスク記録再生プログラムによれば、光ピックアップ温度検出部４で検出した光ピックアップ３の温度が閾値Ｔ１以上であった場合は、光ピックアップ３が動作できる上限値以下を維持する所定位置に光ピックアップ３を移動させるので再生や記録を中断する必要がない。
【００８１】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００８２】
【図１】本発明の第１の実施例および第２の実施例にかかる光ディスク記録再生装置のブロック図である。
【図２】図１に示された光ディスク記録再生装置の第１の実施例における光ディスクからの読み取り動作を示したフローチャートである。
【図３】ＣＤの構造の説明図である。
【図４】図２に示したフローチャートの動作の一例を示した説明図である。
【図５】図１に示された光ディスク記録再生装置の光ピックアップの温度変化の一例を示した説明図である。
【図６】図１に示された光ディスク記録再生装置の第２の実施例における光ディスクからの読み取り動作を示したフローチャートである。
【符号の説明】
【００８３】
１        光ディスク記録再生装置（光ディスク装置）
２        ディスクモータ（駆動手段）
３        光ピックアップ
４        光ピックアップ温度検出部（温度検出手段）
８        音声／映像信号処理部（情報再生手段、情報記録手段）
１０      ハードディスク（記憶手段）
１２      マイクロコンピュータ（制御手段、位置記憶手段、識別手段）
１４      光ディスク
【図１】
2008165886.tif 000003
【図２】
2008165886.tif 000004
【図３】
2008165886.tif 000005
【図４】
2008165886.tif 000006
【図５】
2008165886.tif 000007
【図６】
2008165886.tif 000008